(57)【特許請求の範囲】
【請求項１】
装置本体に回転可能に支持され、搬送される通帳の中紙の表面に圧接して回転し、少なくとも圧接される中紙を他の中紙から浮離させるローラと、
前記ローラの近傍で前記ローラ表面と接離可能に設けられ、弾性体によって前記ローラ側に移動させる方向に力が付勢され、中紙を前記ローラとの間に挟むことで保持する保持部材と、
前記ローラに取り付けられ前記ローラの回転に連動して、前記保持部材が中紙を前記ローラとの間に挟んで保持した状態から前記保持部材をローラ表面と逆側に移動させるカムとを有し、
前記中紙を前記保持部と前記ローラとの間に挟んだ状態で、前記ローラを反対方向に回転させて前記保持部材に接する中紙以外の中紙を前記他の中紙側へ戻すことを特徴とする頁めくり装置。
【請求項２】
前記保持部材の摩擦抵抗を前記ローラの摩擦抵抗よりも大きくしていることを特徴とする請求項１記載の頁めくり装置。
【請求項３】
前記保持部材は、前記ローラと同方向に回転するローラであることを特徴とする請求項１又は２記載の頁めくり装置。
【請求項４】
前記保持部材は、通帳を搬送する搬送用ローラが取り付けられているシャフトを軸に回動可能に構成されていることを特徴とする請求項１から３のいずれか１項記載の頁めくり装置。
【請求項５】
装置本体に回転可能に支持されたローラを搬送される通帳の中紙の表面に圧接し回転させることにより、少なくとも圧接される前記中紙を他の中紙から浮離させることによって頁をめくる頁めくり方法において、
前記ローラの近傍に設けられ、弾性体によって前記ローラ側に移動させる方向に力が付勢され、中紙を前記ローラとの間に挟むことで保持する保持部材を、前記ローラに取り付けられ、前記ローラの回転に連動するカムにより、ローラ表面から離した状態にし、前記状態で前記ローラを回転させて中紙を他の中紙から浮離させた後に、前記保持部材をローラ表面側に移動させて前記中紙を前記保持部材と前記ローラとの間に挟むことで保持し、前記ローラを反対方向に回転させて前記保持部材に接する中紙以外の中紙を他の中紙側へ戻し、更に前記保持部材が中紙を前記ローラとの間に挟んで保持した状態から、前記カムにより前記保持部材をローラ表面と逆側に移動させることを特徴とする頁めくり方法。
【請求項６】
請求項１から４のいずれか１項記載の頁めくり装置が搭載されることを特徴とする現金自動預け払い機。
【発明の詳細な説明】
【０００１】
【発明の属する技術分野】
本発明は、頁めくり装置及び頁めくり方法に関し、特に、銀行、郵便局、コンビニエンスストアなどに設置されている現金自動預け払い機（Automatic Teller Machine：ＡＴＭ）などに搭載されている預金通帳等の頁めくり装置に関する。
【０００２】
【従来の技術】
従来、ＡＴＭに搭載されている頁めくり装置は、預金通帳などに記帳する際に、開いている通帳中紙の印字スペースがなくなると、頁をめくり、次頁の通帳中紙に、記帳を行っていた。
【０００３】
図５（ａ）〜図５（ｄ）は、従来の頁めくり装置の頁めくり動作を示す図である。
【０００４】
従来の頁めくり装置は、まず、モータ７ｂを駆動することによって、フィードローラ６を回転させて、通帳１２を頁めくり位置まで搬送させる。（図５（ａ））。
【０００５】
次に、モータ７ａを駆動することによって、フリクションローラ１ａをＡ方向に回転させる。すると、通帳１２の通帳中紙の表面にフリクションローラ１ａが圧接し、表面の通帳中紙１２ａが他の通帳中紙から浮離する（図５（ｂ））。
【０００６】
その後、フリクションローラ１ａが所要の回転をしてから、モータ７ａの駆動を停止する。（図５（ｃ））。
【０００７】
そして、搬送用シャフト１６，１７によって通帳１２を搬送させると、頁がめくられる（図５（ｄ））。
【０００８】
【発明が解決しようとする課題】
しかし、従来の技術は、通帳中紙を浮離する際に、通帳中紙の摩擦係数のバラツキや、静電気による通帳中紙の張り付き等の影響によって、複数の通帳中紙が浮離されることがあり、複数頁がめくられることがあり、改善が望まれていた。
【０００９】
そこで、本発明は、１頁だけがめくれるような頁めくり装置及び頁めくり方法を提供することを課題とする。
【００１０】
【課題を解決するための手段】
上記課題を解決するために、本発明の頁めくり装置は、装置本体に回転可能に支持され、搬送される通帳の中紙の表面に圧接して回転し、少なくとも圧接される中紙を他の中紙から浮離させるローラと、前記ローラの近傍で前記ローラ表面と接離可能に設けられ、弾性体によって前記ローラ側に移動させる方向に力が付勢され、中紙を前記ローラとの間に挟むことで保持する保持部材と、前記ローラに取り付けられ前記ローラの回転に連動して、前記保持部材が中紙を前記ローラとの間に挟んで保持した状態から前記保持部材をローラ表面と逆側に移動させるカムとを有し、前記中紙を前記保持部と前記ローラとの間に挟んだ状態で、前記ローラを反対方向に回転させて前記保持部材に接する中紙以外の中紙を前記他の中紙側へ戻すことを特徴とする。
また、本発明の頁めくり方法は、装置本体に回転可能に支持されたローラを搬送される通帳の中紙の表面に圧接し回転させることにより、少なくとも圧接される前記中紙を他の中紙から浮離させることによって頁をめくる頁めくり方法において、前記ローラの近傍に設けられ、弾性体によって前記ローラ側に移動させる方向に力が付勢され、中紙を前記ローラとの間に挟むことで保持する保持部材を、前記ローラに取り付けられ、前記ローラの回転に連動するカムにより、ローラ表面から離した状態にし、前記状態で前記ローラを回転させて中紙を他の中紙から浮離させた後に、前記保持部材をローラ表面側に移動させて前記中紙を前記保持部材と前記ローラとの間に挟むことで保持し、前記ローラを反対方向に回転させて前記保持部材に接する中紙以外の中紙を他の中紙側へ戻し、更に前記保持部材が中紙を前記ローラとの間に挟んで保持した状態から、前記カムにより前記保持部材をローラ表面と逆側に移動させることを特徴とする。
【００１１】
【発明の実施の形態】
以下、本発明の実施形態について図面を参照して説明する。
【００１２】
［構成の説明］
図１は、本発明の実施形態の頁めくり装置の模式的な構成を示す平面図である。図２（ａ），図２（ｂ）は、図１のＸ，Ｙ方向の側面図である。
【００１３】
図１，図２に示すように、本実施形態の頁めくり装置は、通帳１２を搬送するフィードローラ６ａ，６ｂを有する搬送用シャフト１６，１７と、通帳１２の頁をめくるためのフリクションローラ１ａ，２ａを有する頁めくり用シャフト１，２とを備えている。
【００１４】
頁めくり用シャフト１，２は、モータ７ａ及びベルト８〜１０によって双方が同方向に回転するようにしている。搬送用シャフト１６，１７は、モータ７ｂ及びベルト１５によって双方が同方向に回転するようにしている。なお、モータ７ｂを駆動しても、頁めくり用シャフト１，２側が回転しないように、アイドラプーリ１１はベアリング等を備えている。
【００１５】
また、頁めくり用シャフト２と搬送用シャフト１６とをは、スイングアーム５を介して接続されており、頁めくり用シャフト２は、搬送用シャフト１６を軸に回転する。スイングアーム５には、一端が頁めくり装置本体に取り付けられたスプリング４が取り付けられている。
【００１６】
頁めくり用シャフト１にはピン１３が設けられており、さらにピン１３を差し込むラジアル方向に長い長穴３ａが形成されたカム３が取り付けられている。カム３は、フリクションモータ１ａ，２ａ間の距離を制御するものである。
【００１７】
なお、長穴３ａはカム３の回転を制御するものであり、長穴３ａ内をピン１３が動いても、その間はカム３が回転しない、一方、長穴３ａの側壁にピン１３が当たるとカム３は押されながら回転する。
【００１８】
フリクションローラ１ａ，２ａ及びフィードローラ６ａ，７ａは、通帳１２の通帳中紙を傷めないように、ゴム材などを使用している。但し、フリクションローラ２ａは、フリクションローラ１ａよりも、摩擦抵抗の大きいゴム材などを使用している。
【００１９】
また、フィードローラ６ａ，７ａの通帳１２を挟んで反対側に、通帳１２の搬送を補助する補助ローラ１８，１９を備えている。
【００２０】
また、図３に示すように、フリクションローラ２ａに代えて、回転しないフリクションプレート１４を装着してもよい。
【００２１】
［動作の説明］
図４（ａ）〜図４（ｆ）は、図１のＺ−Ｚ’間の断面図であって通帳１２の頁めくりを行う動作を示す図である。
【００２２】
まず、モータ７ｂを駆動することによって、フィードローラ６ａ，６ｂを回転させて、通帳１２を頁めくり位置まで搬送させる。（図４（ａ））。
【００２３】
このとき、フリクションモータ１ａ，２ａは、カム３とスイングアーム５とが接触することで互いに離れている。
【００２４】
次に、モータ７ａを駆動することによって、フリクションローラ１ａをＡ方向に回転させる。すると、通帳１２の通帳中紙の表面にフリクションローラ１ａが圧接し、少なくとも表面の通帳中紙１２ａが他の通帳中紙１２ｃから浮離する（図４（ｂ））。
【００２５】
ここでは、たとえば２枚の通帳中紙１２ａ，１２ｂが浮離した様子を図示している。また、頁めくり用シャフト１の回転に伴ってカム３も回転するが、フリクションモータ１ａ，２ａは、まだ互いに離れており接触していない。
【００２６】
その後、頁めくり用シャフト１が所要の回転をしてから、モータ７ａの駆動を停止する。このとき、カム３とスイングアーム５との接触が断たれ、通帳中紙１２ａ，１２ｂは、フリクションローラ１ａ，２ａによって挟まれることによって保持される（図４（ｃ））。
【００２７】
次に、モータ７ａを駆動してフリクションローラ１ａをＢ方向に回転させる。すると、フリクションモータ２ａと通帳中紙１２ａ，１２ｂ間との摩擦抵抗の差によって、フリクションモータ２ａに接している通帳中紙１２ａはそのままフリクションモータ２ａに保持され、フリクションモータ１ａに接している通帳中紙１２ｂはフリクションモータ１ａによって通帳１２本体側に戻される（図４（ｄ））。
【００２８】
この間、カム３は長穴１３ａ分回転しないので、スイングアーム５に接触しない。
【００２９】
その後、カム３が回転するようになると、スイングアーム５が押し上げられるとともに、通帳中紙１２ａだけがフリクションローラ１ａ上に残る（図４（ｅ））。
【００３０】
そして、搬送用ローラ６ａ，６ｂによって通帳１２を搬送させると、１頁だけがめくられるようになる（図４（ｆ））。
【００３１】
以上本実施形態で説明した頁めくり装置を、ＡＴＭなどに備えると、預金通帳の頁が１頁だけめくれるようになる。
【００３２】
【発明の効果】
以上、説明したように、本発明によると、通帳中紙が複数頁浮離されたときに、１頁だけ残して、他を残りの通帳中紙側へ戻すので、１頁だけがめくれるようになる。
【図面の簡単な説明】
【図１】本発明の実施形態の頁めくり装置の模式的な構成を示す平面図である。
【図２】図１のＸ，Ｙ方向の側面図である。
【図３】フリクションプレートを有する頁めくり装置の側面図である。
【図４】図１のＺ−Ｚ’間の断面図であって通帳１２の頁めくりを行う動作を示す図である。
【図５】従来の頁めくり装置の頁めくり動作を示す図である。
【符号の説明】
１，２  頁めくり用シャフト
１ａ，２ａ  フリクションローラ
３  カム
３ａ  長穴
４  スプリング
５  スイングアーム
６ａ，６ｂ  フィードローラ
７  モータ
８〜１０，１４  ベルト
１１  アイドラプーリ
１２  通帳
１２ａ〜１２ｃ  通帳中紙
１３  ピン
１４  フリクションプレート
１６，１７  フィードローラ
【図１】
0003721099.tif 000002
【図２】
0003721099.tif 000003
【図３】
0003721099.tif 000004
【図４】
0003721099.tif 000005
【図５】
0003721099.tif 000006